(57)【要約】【課題】  本発明は、電子部品及び駆動回路に関し、例えばプロジェクションテレビの光源を駆動する駆動回路に適用して、従来に比して十分な耐圧を確保し、さらに直流抵抗を小さくする。【解決手段】本発明は、層数が２以上の整列巻線、往復巻線により複数のコイル部を順次作成し、これらコイル部を並列接続するようにして、隣接するコイル部で巻線開始位置及び巻線終了位置を入れ換える。【選択図】        図４
2008294199.tif 000002
【特許請求の範囲】
【請求項１】
コイルボビンにマグネットワイヤを巻線して形成されたコイルを有する電子部品において、
前記コイルは、
前記コイルボビンの一端側から巻線が開始され、層数が２以上の整列巻線の往復巻きにより巻線され、前記コイルボビンの他端で巻線が終了する第１のコイル部と、
前記コイルボビンの他端側から巻線が開始され、層数が２以上の整列巻線の往復巻きにより、前記第１のコイル部の巻線の上層に巻線され、前記コイルボビンの一端で巻線が終了する第２のコイル部とを有し、
前記第１のコイル部の巻線開始端と、前記第２のコイル部の巻線終了端とが接続されると共に、前記第１のコイル部の巻線終了端と、前記第２のコイル部の巻線開始端とが接続されて、前記第１及び第２のコイル部が並列接続された
ことを特徴とする電子部品。
【請求項２】
前記第１及び第２のコイル部がセクション巻きにより形成された
ことを特徴とする請求項１に記載の電子部品。
【請求項３】
前記第１及び第２のコイル部の管軸が基板面と直交するように基板に配置される
ことを特徴とする請求項１に記載の電子部品。
【請求項４】
前記コイルボビンの一端又は他端に少なくとも１対の外部接続用の端子を有し、
前記コイルボビンの他端又は一端に中継用の端子を有し、
前記第１のコイル部の巻線開始端と前記第２のコイル部の巻線終了端とが前記中継用の端子で接続され、又は前記第１のコイル部の巻線終了端と前記第２のコイル部の巻線開始端とが前記中継用の端子で接続され、
前記中継用の端子が前記１対の外部接続用の端子の一方に接続され、
前記第１のコイル部の巻線終了端と前記第２のコイル部の巻線開始端とが前記１対の外部接続用の端子の他方に接続され、又は前記第１のコイル部の巻線開始端と前記第２のコイル部の巻線終了端とが前記１対の外部接続用の端子の他方に接続された
ことを特徴とする請求項１に記載の電子部品。
【請求項５】
周波数の高い高周波電源を印加して放電ランプの点灯を開始させた後、周波数の低い交流電源を印加して前記放電ランプの点灯を継続させる駆動回路において、
前記放電ランプの点灯開始時、共振コイルを用いた共振により前記高周波電源を生成し、
前記放電ランプの点灯継続時、前記共振コイルを介して前記放電ランプの駆動電流を出力し、
前記共振コイルは、
コイルボビンの一端側から巻線が開始され、層数が２以上の整列巻線の往復巻きにより巻線され、前記コイルボビンの他端で巻線が終了する第１のコイル部と、
前記コイルボビンの他端側から巻線が開始され、層数が２以上の整列巻線の往復巻きにより、前記第１のコイル部の巻線の上層に巻線され、前記コイルボビンの一端で巻線が終了する第２のコイル部とを有し、
前記第１のコイル部の巻線開始端と、前記第２のコイル部の巻線終了端とが接続されると共に、前記第１のコイル部の巻線終了端と、前記第２のコイル部の巻線開始端とが接続されて、前記第１及び第２のコイル部が並列接続された
ことを特徴とする駆動回路。
【発明の詳細な説明】
【技術分野】
【０００１】
本発明は、電子部品及び駆動回路に関し、例えばプロジェクションテレビの光源を駆動する駆動回路に適用することができる。本発明は、層数が２以上の整列巻線、往復巻線により複数のコイル部を順次作成し、これらコイル部を並列接続するようにして、隣接するコイル部で巻線開始位置及び巻線終了位置を入れ換えることにより、従来に比して十分な耐圧を確保し、さらに直流抵抗を小さくする。
【背景技術】
【０００２】
従来、プロジェクションテレビの光源等には、例えば高輝度放電ランプであるＨＩＤ（High Intensity Discharge）ランプが使用されている。このＨＩＤランプの駆動回路は、例えば特開２００１−５１１３０５号公報等に開示されているように、高周波電源を昇圧トランスで昇圧してＨＩＤランプに印加し、これによりＨＩＤランプの放電を開始させて点灯を開始する。また点灯を開始した後は、高周波電源の生成を中止し、点灯の継続に必要な低電圧の交流電源をＨＩＤランプに印加する。
【０００３】
このような駆動回路に関して、例えば特表２０００−５１１６９０号公報、特表２００２−５３０８２５号公報、特表２００２−５３３８８３号公報等には、共振コイルを用いたＬＣ共振により点灯に要する高周波電源を生成し、点灯を開示した後は、この共振コイルを介してＨＩＤランプに交流電源を印加する構成が開示されている。
【０００４】
これによりこの共振コイルは、点灯開始時、周波数の高い高電圧の高周波電源を出力するのに対し、点灯を開始した後は、周波数の低い交流電源により大電流が流れる。これによりこの種の共振コイルは、十分な耐圧を確保し、かつ直流抵抗を小さくして発熱量を抑圧することが求められる。
【０００５】
このような共振コイルは、従来、図１１に示すように、コイルボビン２による巻線幅を複数のつば３により分割して複数の巻溝４Ａ〜４Ｃが作成され、この複数の巻溝４Ａ〜４Ｃを使用したセクション巻きによりマグネットワイヤ５を巻線してコイル１が作成されていた。なおここでこの図１１においては、マグネットワイヤ５の巻線方向を矢印で示す。これによりこの図１１では、最も左側の第１の巻溝４Ａの左端から巻線を開始し、この第１の巻溝４Ａに所定数だけマグネットワイヤ５を巻線する。また続いて、順次、右側の第２、第３の巻溝４Ｂ、４Ｃに、同様にマグネットワイヤ５を巻線してコイル１を作成する。共振コイルは、このコイル１にコアを配置して作成される。
【０００６】
この図１１の構成によれば、セクション巻きにより耐圧を確保し得るものの、直流抵抗を小さくして発熱を抑圧するためには、結局、図１２に示すように、マグネットワイヤ５の線径を太くすることが必要になる問題がある。ここで線径を太くすると、巻線が難しくなり、端子のからげ処理においてコイルボビンを破損してしまう等の問題がある。また使用可能な巻線機も制限されることになる。
【０００７】
この問題を解決する１つの方法として、図１３に示すように、セクション巻によりコイル６を作成するようにして、各巻溝４Ａ〜４Ｃにそれぞれマグネットワイヤ５を巻線して実線により示す第１のコイル部７Ａを作成した後、さらに各巻溝４Ａ〜４Ｃにそれぞれマグネットワイヤ５を巻線して破線により示す第２のコイル部７Ｂを作成し、これら第１及び第２のコイル部７Ａ及び７Ｂを並列接続する方法が考えられる。この場合、マグネットワイヤ５の線径を太くしなくても、直流抵抗を小さくすることができる。
【０００８】
しかしながらこの方法の場合、各巻溝４Ａ〜４Ｃにおいて、第１のコイル部７Ａの最上層の巻線と、第２のコイル部７Ｂの最下層の巻線との間で、１つの巻溝４Ａ〜４Ｃ分の電位差が発生し、これにより十分に耐圧を確保することが困難になる問題がある。
【０００９】
これに対して図１４に示すように、これら第１及び第２のコイル部７Ａ及び７Ｂをコイルの軸方向に分割してそれぞれセクション巻きにより作成する方法も考えられるが、この方法の場合、１つの巻溝４ＡＡ〜４ＡＣ、４ＢＡ〜４ＢＣに割り振る電圧を図１１及び図１３の例と同一にすると、結局、巻溝の数を増やさなければならず、これにより軸方向にコイルの長さが長くなる問題がある。またこの図１４の構成は、図１１及び図１３の構成とそもそもコイルボビンの形状が異なることにより、専用のコイルボビンを作成することが必要になる。
【特許文献１】特開２００４−１６５０９５号公報
【特許文献２】特表２０００−５１１６９０号公報
【特許文献３】特表２００２−５３０８２５号公報
【特許文献４】特表２００２−５３３８８３号公報
【発明の開示】
【発明が解決しようとする課題】
【００１０】
本発明は以上の点を考慮してなされたもので、従来に比して十分な耐圧を確保し、さらに直流抵抗を小さくすることができるコイルを有する電子部品、このコイルを用いた放電管用の駆動回路を提案しようとするものである。
【課題を解決するための手段】
【００１１】
上記の課題を解決するため請求項１の発明は、コイルボビンにマグネットワイヤを巻線して形成されたコイルを有する電子部品に適用して、前記コイルは、前記コイルボビンの一端側から巻線が開始され、層数が２以上の整列巻線の往復巻きにより巻線され、前記コイルボビンの他端で巻線が終了する第１のコイル部と、前記コイルボビンの他端側から巻線が開始され、層数が２以上の整列巻線の往復巻きにより、前記第１のコイル部の巻線の上層に巻線され、前記コイルボビンの一端で巻線が終了する第２のコイル部とを有し、前記第１のコイル部の巻線開始端と、前記第２のコイル部の巻線終了端とが接続されると共に、前記第１のコイル部の巻線終了端と、前記第２のコイル部の巻線開始端とが接続されて、前記第１及び第２のコイル部が並列接続される。
【００１２】
また請求項５の発明は、周波数の高い高周波電源を印加して放電ランプの点灯を開始させた後、周波数の低い交流電源を印加して前記放電ランプの点灯を継続させる駆動回路に適用して、前記放電ランプの点灯開始時、共振コイルを用いた共振により前記高周波電源を生成し、前記放電ランプの点灯継続時、前記共振コイルを介して前記放電ランプの駆動電流を出力し、前記共振コイルは、コイルボビンの一端側から巻線が開始され、層数が２以上の整列巻線の往復巻きにより巻線され、前記コイルボビンの他端で巻線が終了する第１のコイル部と、前記コイルボビンの他端側から巻線が開始され、層数が２以上の整列巻線の往復巻きにより、前記第１のコイル部の巻線の上層に巻線され、前記コイルボビンの一端で巻線が終了する第２のコイル部とを有し、前記第１のコイル部の巻線開始端と、前記第２のコイル部の巻線終了端とが接続されると共に、前記第１のコイル部の巻線終了端と、前記第２のコイル部の巻線開始端とが接続されて、前記第１及び第２のコイル部が並列接続される。
【００１３】
請求項１又は請求項５の構成により、第１及び第２のコイル部を並列接続すれば、１つのコイル部のみによる場合に比して直流抵抗を小さくすることができる。また第１のコイル部を、コイルボビンの一端側から巻線を開始し、層数が２以上の整列巻線の往復巻きにより巻線し、コイルボビンの他端で巻線が終了するようにし、第２のコイル部を、このコイルボビンの他端側から巻線を開始し、層数が２以上の整列巻線の往復巻きにより、第１のコイル部の巻線の上層に巻線し、コイルボビンの一端で巻線が終了するようにすれば、第１のコイル部の最上層と第２のコイル部の最下層とは、ほぼ同電位に設定することができ、これにより従来に比して十分な耐圧を確保することができる。
【発明の効果】
【００１４】
本発明によれば、十分な耐圧を確保し、さらに直流抵抗を小さくすることができる。
【発明を実施するための最良の形態】
【００１５】
以下、適宜図面を参照しながら本発明の実施例を詳述する。
【実施例１】
【００１６】
（１）実施例の構成
図１は、本発明の実施例に係るプロジェクションテレビの光源に関する構成を示すブロック図である。このプロジェクションテレビ１１は、ＨＩＤランプ１２の駆動回路であるバラスト回路１３によりＨＩＤランプ１２を駆動して点灯させ、このＨＩＤランプ１２の出力光により各種映像をスクリーンで表示する。
【００１７】
このバラスト回路１３において、ダウンコンバータ１４は、制御回路１５の制御により動作を開始し、所定電圧による電源Ｖｉｎをこのバラスト回路１３の動作に適した電圧にダウンコンバートして出力する。フルブリッジ回路１６は、このダウンコンバータ１４から出力される駆動電源から、ＨＩＤランプ１２の点灯の継続に必要な周波数９０〜２００〔Ｈｚ〕の交流電源を生成して出力する。フルブリッジ回路１６は、この交流電源の波高値を制御回路１５の制御により可変し、これによりＨＩＤランプ１２の出力光量を可変する。
【００１８】
ＬＣ共振回路１７は、共振コイルと共振コンデンサとのＬＣ共振を利用して、周波数１２０〔ｋＨｚ〕程度の高周波電源を生成し、この高周波電源を昇圧トランスで昇圧してイグニッション回路１８に出力する。またイグニッション回路１８の制御により、この高周波電源の生成を停止し、フルブリッジ回路１６から出力される交流電源をイグニッション回路１８に出力する。この実施例において、ＬＣ共振回路１７は、フルブリッジ回路１６から出力される交流電源をイグニッション回路１８に出力する電流路にこの共振コイルが設けられ、これによりこの共振コイルは、点灯開始時、周波数の高い高電圧の高周波電源を出力するのに対し、点灯を開始した後は、周波数の低い交流電源による大電流が流れ、これにより十分な耐圧を確保し、かつ直流抵抗を小さくすることが求められる。
【００１９】
イグニッション回路１８は、ＨＩＤランプ１２の点灯開始時、昇圧トランスで昇圧されてＬＣ共振回路１７から出力される高周波電源をＨＩＤランプ１２に印加する。またＨＩＤランプ１２が点灯を開始すると、この点灯開始によるＨＩＤランプ１２のインピーダンスの低下により、ＬＣ共振回路１７における高周波電源の生成を停止制御し、ＬＣ共振回路１７から出力される交流電源をＨＩＤランプ１２に印加する。
【００２０】
メイン制御部１９は、ユーザーによる電源スイッチ、各種操作子の操作に応動して、バラスト回路１３の動作の開始、停止を制御し、さらにはＨＩＤランプ１２に印加する交流電源の波高値を可変する。
【００２１】
図２は、このバラスト回路１３に設けられる共振コイルを示す側面図であり、図３は、図２の断面図である。この共振コイル２１は、いわゆる開磁路により磁気回路が作成されたインダクタであり、コイルボビン２２にマグネットワイヤ５を巻線してコイル２３を作成した後、このコイル２３にコア２４を配置して形成される。なおこの図２及び図３では、コイルボビン２２の巻溝を形成するつば等については、記載を省略して示す。
【００２２】
この共振コイル２１は、このコイル２３がセクション巻きにより作成される。すなわち図１１等との対比により図４に示すように、コイルボビン２２は、巻線幅を複数のつば２６により分割してそれぞれ巻溝２７Ａ、２７Ｂ、２７Ｃが作成される。コイル２３は、一方の側の巻溝２７Ａ又は２７Ｃから他方の側の巻溝２７Ｃ又は２７Ａに向かって、順次、各巻溝２７Ａ、２７Ｂ、２７Ｃにマグネットワイヤ５が巻線される。この巻線において、コイル２３は、各巻溝２７Ａ、２７Ｂ、２７Ｃに整列巻きにより、かつ層数が２以上となるように、より好ましくは、図４に示すように、層数が３以上の奇数となるように、往復巻きによりマグネットワイヤ５が巻線される。
【００２３】
これによりこの図４の例では、実線により示すように、最も左端の第１の巻溝２７Ａの左端から巻線を開始し、この第１の巻溝２７Ａに所定数だけマグネットワイヤ５を巻線すると、この第１の巻溝２７Ａの巻線を開始した側とは逆側でこの第１の巻溝２７Ａの巻線を終了する。また第１の巻溝２７Ａの巻線を終了すると、第１の巻溝２７Ａ側から第２の巻溝２７Ｂの巻線を開始し、この第２の巻溝２７Ｂに所定数だけマグネットワイヤ５を巻線すると、この第２の巻溝２７Ｂの巻線を開始した側とは逆側でこの第２の巻溝２７Ｂの巻線を終了する。またさらに第２の巻溝２７Ｂの巻線を終了すると、第２の巻溝２７Ｂ側から第３の巻溝２７Ｃの巻線を開始し、この第３の巻溝２７Ｃに所定数だけマグネットワイヤ５を巻線すると、この第３の巻溝２７Ｃの巻線を開始した側とは逆側でこの第３の巻溝２７Ｃの巻線を終了する。これによりコイル２３は、巻溝２７Ａ、２７Ｂ、２７Ｃにマグネットワイヤ５を順次巻線して第１のコイル部２８を作成し、この第１のコイル部２８の巻線の終了端が、この第１のコイル部２８の巻線開始側端とは逆側端に設けられる。
【００２４】
コイル２３は、図４において、破線で示すように、この第１のコイル部２８の巻線終了端側から、第１のコイル部２８と同一のマグネットワイヤを用いて第１のコイル部２８とは逆に順次第３の巻溝２７Ｃ、第２の巻溝２７Ｂ、第１の巻溝２７Ａに第２のコイル部２９が巻線される。また各巻溝２７Ａ、２７Ｂ、２７Ｃでは、第１のコイル部２８と同一の巻線数による整列巻き、往復巻きにより、第２のコイル部２９が巻線される。
【００２５】
これによりこの図４の例では、最も右端の第３の巻溝２７Ａの右端から巻線を開始し、この第３の巻溝２７Ｃに所定数だけマグネットワイヤ５を巻線すると、この第３の巻溝２７Ｃの巻線を開始した側とは逆側でこの第３の巻溝２７Ｃの巻線を終了する。また第３の巻溝２７Ｃの巻線を終了すると、第３の巻溝２７Ｃ側から第２の巻溝２７Ｂの巻線を開始し、この第２の巻溝２７Ｂに所定数だけマグネットワイヤ５を巻線すると、この第２の巻溝２７Ｂの巻線を開始した側とは逆側でこの第２の巻溝２７Ｂの巻線を終了する。またさらに第２の巻溝２７Ｂの巻線を終了すると、第２の巻溝２７Ｂ側から第１の巻溝２７Ａの巻線を開始し、この第１の巻溝２７Ａに所定数だけマグネットワイヤ５を巻線すると、この第１の巻溝２７Ａの巻線を開始した側とは逆側でこの第１の巻溝２７Ａの巻線を終了する。これによりコイル２３は、第１のコイル部２８の巻き始め２８Ａ及び巻き終わり２８Ｅ側がそれぞれ巻き終わり２９Ｅ及び巻き始め２９Ｓ側となるように、第２のコイル部２９を巻線する。
【００２６】
コイルボビン２２（図２）は、この第１のコイル部２８の巻線終了側端、第２のコイル部の巻線開始側端のつば２２Ａに、管軸方向に延長する外部接続用の端子３０Ａ及び３０Ｂが設けられる。また逆側端のつば２２Ｂに、中継用の端子３０Ｃが設けられる。コイル２３は、中継用の端子３０Ｃに第１のコイル部２８の巻き始め２８Ｓがからげられて第１のコイル部２８の巻線が開始され、第１のコイル部２８の巻き終わり２８Ｅが外部接続用の端子３０Ａにからげられる。また続いて第２のコイル部２９が巻線された後、巻き終わり２９Ｅが中継用の端子３０Ｃにからげれた後、外部接続用の端子３０Ｂにからげられる。
【００２７】
共振コイル２１は、これら端子３０Ａ、３０Ｂ、３０Ｃにからげられたマグネットワイヤが半田付けにより端子３０Ａ、３０Ｂ、３０Ｃにそれぞれ接続された後、コア２４を配置して作成される。また基板実装工程において、第１及び第２のコイル部２８、２９の管軸が基板面と直交するように配置され、基板２９に実装される。
【００２８】
（２）実施例の動作
以上の構成において、この実施例のプロジェクションテレビ１１（図１）、ダウンコンバータ１４で生成された電源によりフルブリッジ回路１６において、ＨＩＤランプ１２の点灯継続に必要な交流電源が生成される。またＬＣ共振回路１７において、この交流電源をＨＩＤランプ１２に供給する経路に設けられた共振コイルと、共振コンデンサとのＬＣ共振により高周波電源が生成され、この高周波電源を昇圧トランスで昇圧してＨＩＤランプ１２の点灯用電源が生成される。プロジェクションテレビ１１は、イグニッション回路１８によりこの点灯用電源がＨＩＤランプ１２に印加されてＨＩＤランプ１２が点灯を開始し、その後、ＬＣ共振回路１７における高周波電源の生成が停止制御され、点灯用電源に代えて点灯継続に必要な交流電源がＨＩＤランプ１２に供給される。これにより共振コイルは、十分に高い耐圧を確保することが求められ、またさらに周波数の低い交流電源によって発熱しないように、低い直流抵抗値が求められる。
【００２９】
そこでこの実施例において、共振コイル２１（図４）は、コイルボビン２２に巻線して作成された第１及び第２のコイル部２８及び２９が並列接続されてコイル２３が作成され、これにより直流抵抗値を小さくし、発熱を抑圧することができる。
【００３０】
またさらに第１のコイル部２８は、コイルボビン２２の一端側から巻線が開始され、層数が２以上の整列巻線、往復巻きにより巻線され、コイルボビン２２の他端で巻線が終了するように作成される。また第２のコイル部２９は、これとは逆にコイルボビン２２の他端側から巻線が開始され、層数が２以上の整列巻線の往復巻きにより、第１のコイル部２８の巻線の上層に巻線され、コイルボビン２２の一端で巻線が終了するように作成される。これによりコイル２３は、隣接する第１及び第２のコイル部２８及び２９で巻線開始位置及び巻線終了位置が入れ換えられ、第１及び第２のコイル部２８及び２９の境界を境にして巻線が対称となるようにこれら第１及び第２のコイル部２８及び２９が作成される。
【００３１】
これにより第１のコイル部２８の最上層の巻線と第２のコイル部２９の最下層の巻線とは、ほぼ同電位となり、これら第１及び第２のコイル部２８及び２９間の耐圧を従来に比して格段的に向上し、従来に比して十分な耐圧を確保することができる。
【００３２】
これによりこのバラスト回路１３では、共振コイル２１の直流抵抗が小さい分、従来に比して発熱を低減することができ、また共振コイル２１に十分な耐圧を確保することができる分、信頼性を向上することができる。
【００３３】
またさらに共振コイル２１は、これら第１及び第２のコイル部２８及び２９が、それぞれセクション巻きにより作成され、これによっても耐圧を向上することができる。
【００３４】
共振コイル２１は（図２）、実装基板３１の基板面に対して管軸が垂直になるように、この実装基板３１に実装され、これにより実装基板３１上における占有面積が小さくなるように実装され、実装基板３１の面積を小さくすることができる。
【００３５】
またこのように管軸が垂直になるように実装可能に、この実装基板３１側であるコイルボビン２２の一端に外部接続用の端子３０Ａ及び３０Ｂを設け、逆側端に中継用の端子３０Ｃを設け、第１及び第２のコイル部２８及び２９の一端をこの中継用の端子３０Ｃを使用して接続することにより、これら第１及び第２のコイル部２８、２９を簡易に巻線し、簡易に並列接続することができ、これによりコイル２３の作成工程を簡略化することができる。
【００３６】
すなわち共振コイル２１は（図２）、始めに中継用端子３０Ｃにマグネットワイヤ５をからげて巻線が開始された後、第１のコイル部２８の終了端で外部接続用の端子３０Ａにマグネットワイヤ５がからげられ、その後、第２のコイル部２９の巻線が開始される。またこの第２のコイル部２９の巻線終了端が中継用端子３０Ｃにからげた後、外部接続用の端子３０Ｂにからげられる。これによりコイル２３の作成工程を簡略化することができる。
【００３７】
この一連の工程において、共振コイル２１は、中継用の端子３０Ｃと外部接続用の端子３０Ｂとの間が、第２のコイル部２９の巻き終わりのみで単線により接続される。ここでこの中継用の端子３０Ｃと外部接続用の端子３０Ｂとの間は、コイル部２８、２９の巻線の部位に比して放熱がよく、この中継用の端子３０Ｃと外部接続用の端子３０Ｂとの間を単線で接続することによる温度上昇は、無視することができる。これによりこの共振コイル２１は、不必要なマグネットワイヤの消費を防止することができる。
【００３８】
（３）実施例の効果
以上の構成によれば、層数が３以上の奇数層による整列巻線、往復巻線により第１及び第２のコイル部を順次作成し、これらコイル部を並列接続するようにして、隣接するコイル部で巻線開始位置及び巻線終了位置を入れ換えることにより、従来に比して十分な耐圧を確保し、さらには直流抵抗を小さくすることができる。
【００３９】
またこの第１及び第２のコイル部をセクション巻きにより形成することにより、一段と耐圧を確保することができる。
【００４０】
また第１及び第２のコイル部の管軸が基板面と直交するように配置することにより、基板占有面積を低減し、基板を小型化することができる。
【００４１】
また中継用の端子を設けて第１及び第２のコイルを並列接続することにより、中継用の端子と外部接続用の端子との間については、単線で接続することができ、不必要なマグネットワイヤの消費を防止することができる。
【実施例２】
【００４２】
なお上述の実施例においては、第１及び第２のコイル部を並列接続する場合について述べたが、本発明はこれに限らず、並列接続するコイル部の数にあっては、３つ以上としてもよい。具体的に、図５は、図４との対比により、並列接続するコイル部の数をコイル部３５〜３７による３つとする場合を示す断面図である。この図５のコイル３３は、これら第１〜第３のコイル部３５〜３７の並列接続により作成され、これら第１〜第３のコイル部３５〜３７が、実施例１のコイル部２８、２９と同様に作成される。
【００４３】
また上述の実施例においては、巻溝数が３のセクション巻きによりコイルを作成する場合について述べたが、本発明はこれに限らず、巻溝数は、必要に応じて種々に設定することができ、例えば巻溝数を１としてもよい。
【００４４】
また上述の実施例においては、第１のコイル部の巻き始めと第２のコイル部の巻き終わりとを中継用の端子で接続する場合について述べたが、本発明はこれに限らず、逆側を中継用の端子で接続するようにしてもよい。
【００４５】
また上述の実施例においては、開磁路により共振コイルを作成する場合について述べたが、本発明はこれに限らず、図３との対比により図６に示すように、閉磁路により共振コイルを作成してもよい。
【００４６】
また上述の実施例においては、本発明を共振コイルに適用する場合について述べたが、本発明はこれに限らず、各種インダクタ、図７〜図１０に示す各種スイッチイングトランス、昇圧トランス、電源トランス等に広く適用することができる。なおここで図７は、符号Ｌ１及びＬ２により示す一次巻線及び二次巻線をコイルボビンに巻線して作成される開磁路によるトランスを示す断面図である。また図８は、符号Ｌ１及びＬ２により示す一次巻線及び二次巻線をコイルボビンに巻線して作成される閉磁路によるトランスを示す断面図である。また図９は、符号Ｌ１、Ｌ２、Ｌ３により示す一次巻線、二次巻線、三次巻線をコイルボビンに巻線して作成される開磁路によるトランスを示す断面図である。また図１０は、符号Ｌ１、Ｌ２、Ｌ３により示す一次巻線、二次巻線、三次巻線をコイルボビンに巻線して作成される閉磁路によるトランスを示す断面図である。
【００４７】
また上述の実施例においては、コイルにコアを配置する場合について述べたが、本発明はこれに限らず、空芯で使用する場合にも広く適用することができる。
【００４８】
また上述の実施例においては、本発明をＨＩＤランプの駆動回路に適用する場合について述べたが、本発明はこれに限らず、各種放電ランプの駆動回路に広く適用することができる。
【産業上の利用可能性】
【００４９】
本発明は、例えばプロジェクションテレビの光源を駆動する駆動回路に適用することができる。
【図面の簡単な説明】
【００５０】
【図１】本発明の実施例１に係るプロジェクションテレビの光源に関する構成を示すブロック図である。
【図２】図１のバラスト回路に設けられる共振コイルを示す側面図である。
【図３】図２の断面図である。
【図４】図２の共振コイルの巻線の説明に供する断面図である。
【図５】本発明の実施例２に係る共振コイルの巻線の説明に供する断面図である。
【図６】閉磁路による共振コイルを示す断面図である。
【図７】一次巻線及び二次巻線をコイルボビンに巻線して作成される開磁路によるトランスを示す断面図である。
【図８】一次巻線及び二次巻線をコイルボビンに巻線して作成される閉磁路によるトランスを示す断面図である。
【図９】一次巻線、二次巻線、制御巻線をコイルボビンに巻線して作成される開磁路によるトランスを示す断面図である。
【図１０】一次巻線、二次巻線、制御巻線をコイルボビンに巻線して作成される閉磁路によるトランスを示す断面図である。
【図１１】従来のコイルの巻線の説明に供する断面図である。
【図１２】線径を太くした場合の従来のコイルの巻線の説明に供する断面図である。
【図１３】従来の並列接続によるコイルの説明に供する断面図である。
【図１４】管軸方向の複数のコイルを配置した場合の説明に供する断面図である。
【符号の説明】
【００５１】
１、６、２３……コイル、２、２２……コイルボビン、３、２６……つば、４Ａ〜４Ｃ、４７Ａ〜４７Ｃ……巻溝、５……マグネットワイヤ、７Ａ、７Ｂ、２８、２９、３５〜３７……コイル部、１２……ＨＩＤランプ、１３……バラスト回路、１７……ＬＣ共振回路、２１……共振コイル
【図１】
2008294199.tif 000003
【図２】
2008294199.tif 000004
【図３】
2008294199.tif 000005
【図４】
2008294199.tif 000006
【図５】
2008294199.tif 000007
【図６】
2008294199.tif 000008
【図７】
2008294199.tif 000009
【図８】
2008294199.tif 000010
【図９】
2008294199.tif 000011
【図１０】
2008294199.tif 000012
【図１１】
2008294199.tif 000013
【図１２】
2008294199.tif 000014
【図１３】
2008294199.tif 000015
【図１４】
2008294199.tif 000016